(57)【要約】  【課題】  乗客がエレベーターに乗り込んだ際に、乗客の個々人がエレベーター乗かご内を快適に感じる可能性を向上させたエレベーターの空調制御システムを提供する。また、乗客の個々人がエレベーター乗かご内を快適に感じる可能性を向上させたエレベーターの空調制御システムを提供する。  【解決手段】  エレベーターに乗り込む前の乗客の体温を計測し、計測した乗客の体温に基づきエレベーター乗かご内の温度などの空調を事前に調整する。また、割当てられた乗かごに既に乗客がいた場合、乗かご内の乗客の体温とエレベーター待ちの乗客の体温から双方にとって不快でない温度に乗かご内を調整する。また、乗かご内で乗客の体温を計測し続け、その測定結果に基づき快適な温度となるように調整する。【選択図】  図１
2015117080.tif 000002
【特許請求の範囲】
【請求項１】
エレベーター乗かごに設けられてエレベーター乗りかご内の気温を計測するかご内温度センサと、エレベーター乗りかご内の空調を調整する空調機と、前記かご内温度センサの測定温度に基づき前記空調機を制御する空調制御装置を備えたエレベーターの空調制御システムにおいて、
エレベーターホール又は建屋入り口に設けられて人間の体温と周辺の気温を計測するかご外温度センサを備え、
前記かご内温度センサはエレベーター乗かご内の乗客の体温も計測するかご内温度センサであり、
前記空調制御装置は、前記かご内温度センサと前記かご外温度センサの測定温度に基づき前記空調機を制御することを特徴とするエレベーターの空調制御システム。
【請求項２】
請求項１に記載のエレベーターの空調制御システムにおいて、
前記空調制御装置は、前記かご外温度センサで測定される人間の体温に基づき、前記エレベーター乗かごに乗客が乗り込む前に前記乗かご内の温度を調整するように前記空調機を制御することを特徴とするエレベーターの空調制御システム。
【請求項３】
請求項１または２に記載のエレベーターの空調制御システムにおいて、
前記エレベーターホールもしくは建屋入り口に設けられて湿度を計測するかご外湿度センサと、前記乗かご内に設けられて乗かご内の湿度を計測するかご内湿度センサを備え、
前記空調制御装置は、前記かご内温度センサ、前記かご内湿度センサ、前記かご外温度センサ及び前記かご外湿度センサの測定データに基づき前記空調機を制御することを特徴とするエレベーターの空調制御システム。
【請求項４】
請求項１〜３の何れかに記載のエレベーターの空調制御システムにおいて、
前記エレベーター乗かごに設けられて乗かご内に乗客がいるかどうかを判定する乗客有無判定装置を備え、
前記空調制御装置は、前記乗客有無判定装置で乗かご内に乗客がいると判定された場合、前記かご外温度センサで測定された人間の体温と前記かご内温度センサで測定された乗客の体温に基づき前記空調機を制御することを特徴とするエレベーターの空調制御システム。
【請求項５】
請求項１〜４の何れかに記載のエレベーターの空調制御システムにおいて、
前記空調制御装置は、前記かご内の目標温度を算出し、前記空調機からの吹き出し温度を制御することを特徴とするエレベーターの空調制御システム。
【請求項６】
エレベーター乗かごに設けられてエレベーター乗りかご内の気温を計測するかご内温度センサと、エレベーター乗りかご内の空調を調整する空調機と、前記かご内温度センサの測定温度に基づき前記空調機を制御する空調制御装置を備えたエレベーターの空調制御システムにおいて、
前記かご内温度センサはエレベーター乗かご内の乗客の体温も計測するかご内温度センサであり、
前記空調制御装置は、前記かご内温度センサで測定された前記乗客の体温と前記かご内の気温の測定データに基づき前記空調機を制御することを特徴とするエレベーターの空調制御システム。
【請求項７】
請求項６に記載のエレベーターの空調制御システムにおいて、
前記乗かご内に設けられて乗かご内の湿度を計測するかご内湿度センサを備え、
前記空調制御装置は、前記かご内温度センサ及び前記かご内湿度センサの測定データに基づき前記空調機を制御することを特徴とするエレベーターの空調制御システム。
【発明の詳細な説明】
【技術分野】
【０００１】
本発明は、エレベーターの空調制御システムに関するものである。
【背景技術】
【０００２】
エレベーターの空調制御は、一般的には、かご内の温度を測定し、測定温度に基づいて、エレベーター乗かご内の温度が一定温度となるようにしている。そして、最近では、エレベーター利用客の快適性を向上するために、いろいろなエレベーターの空調制御が提案されている。
【０００３】
例えば、特許文献１には、かご内の混雑状況に応じて空調機を制御することで、かご内の快適性の低下を防止することができるエレベーターの空調装置が提案されている。具体的には、特許文献１では、かご内の温度と湿度の検出に加えてかご内の負荷を検出し、かご内の温度、湿度および負荷がそれぞれ所定値以上である場合に、空調機の能力を通常時よりも高めることにより、かご内の温度が所定温度よりも低くなるようにしている。
【０００４】
また、特許文献２には、エレベーター乗かご内とエレベーターホールにおいてそれぞれ温度や湿度などの複数の環境要素を検出し、これらの検出値に基づき、エレベーター乗かご内がエレベーターホールより快適となるように空調設備を動作させて、エレベーター利用客がエレベーター乗かご内に乗り込んだ際に不快な気分になることがないようにしたエレベーター用空調設備の制御装置が提案されている。
【先行技術文献】
【特許文献】
【０００５】
【特許文献１】特開２０１０−１６３２７２号公報
【特許文献２】特開平６−２７１２０４号公報
【発明の概要】
【発明が解決しようとする課題】
【０００６】
エレベーター乗かご内の温度が一定温度となるようにしたとしても、エレベーターホールの温度や外気温、および、個人個人の感じ方などが、その時々で異なるため、エレベーター乗かご内が乗客にとって常に快適な温度であるとは限らない。
【０００７】
また、特許文献１では、かご内が混雑してきたときに空調を強めることにより、かご内の温度が所定温度よりも低くなるようにしているが、空調を強めた場合、乗客によっては空調が効きすぎて過度に冷却されていると感じてしまう可能性がある。
【０００８】
特許文献２では、エレベーター乗かご内の温度がエレベーターホールよりも快適値となるように制御されているので、乗客がエレベーターに乗り込んだ際に、エレベーター乗かご内を快適に感じる可能性は向上するものと思われる。しかし、個々人の感じ方は異なるので、改善の余地がある。
【０００９】
本発明の目的は、乗客がエレベーターに乗り込んだ際に、乗客の個々人がエレベーター乗かご内を快適に感じる可能性を向上させたエレベーターの空調制御システムを提供することにある。  
本発明の他の目的は、乗客の個々人がエレベーター乗かご内を快適に感じる可能性を向上させたエレベーターの空調制御システムを提供することにある。
【課題を解決するための手段】
【００１０】
本発明のエレベーターの空調制御システムは、エレベーターに乗り込む前の乗客の体温を計測し、計測した乗客の体温に基づきエレベーター乗かご内の空調を事前に調整することを特徴とする。  
また、本発明のエレベーターの空調制御システムは、エレベーター乗かご内の乗客の体温を計測し、計測した乗客の体温に基づきエレベーター乗かご内の空調を調整することを特徴とする。
【発明の効果】
【００１１】
本発明のエレベーターの空調制御システムによれば、乗客がエレベーターに乗り込んだ際に、乗客の個々人がエレベーター乗かご内を快適に感じる可能性が向上する。  
また、本発明のエレベーターの空調制御システムによれば、乗客の個々人がエレベーター乗かご内を快適に感じる可能性が向上する。  
上記した以外の課題、構成及び効果は、以下の実施形態の説明により明らかにされる。
【図面の簡単な説明】
【００１２】
【図１】本発明の実施例の空調制御システムの構成図である。
【図２】本発明の実施例の空調制御システムのフローチャートである。
【発明を実施するための形態】
【００１３】
以下、図面を用いて本発明の一実施例を説明する。
【００１４】
図１に本発明の実施例のエレベーターの空調制御システムを示す。  
本実施例のエレベーターの空調制御システムは、エレベーターホール１０や建屋入り口（以下、建屋入り口も含めてエレベーターホールと称する）に設けられるセンサ類など、エレベーター制御部２０、エレベーター乗かご３０に設けられるセンサ類や空調関連装置類などから構成される。
【００１５】
エレベーターホール１０には、人感センサ１Ａ、温度センサ（かご外温度センサ）１Ｂ、湿度センサ（かご外湿度センサ）１Ｃ、乗場かご呼びSW１Ｄ、Ａ/Ｄ変換器１Ｅ及び１Ｆ、及び、通信装置１Ｈが設けられている。エレベーター制御部２０には、通信装置２Ａ及び２Ｄ、温度解析部２Ｂ、並びに、適正温度算出部２Ｃが設けられている。エレベーター乗かご３０には、通信装置３Ａ及び３Ｇ、Ａ/Ｄ変換器３Ｂ及び３Ｃ、かご内温度センサ３Ｄ、かご内湿度センサ３Ｅ、乗客有無判定部３Ｆ、空調制御部３Ｈ、並びに空調機３Ｉが設けられている。エレベーター装置が複数据え付けられている場合には、各エレベーター乗かごにこれらの装置（３Ａ〜３Ｉ）が設けられている。
【００１６】
人感センサ１Ａによってエレベーターホールに人を感知すると、温度センサ１Ｂによって感知した人の体温とホール温度が計測され、また、湿度センサ１Ｃによってホール湿度が計測される。温度センサ１Ｂとしては、赤外線センサなどが用いられ、人の体温とホール温度が同時に計測される。計測されたアナログデータは、それぞれＡ/Ｄ変換器１Ｅ及び１Ｆによってデジタルデータに変換され、通信装置１Ｈによってエレベーター制御部２０へ送信される。
【００１７】
エレベーター乗かご３０内の温度センサ３Ｄによって乗かご内の温度が測定される。温度センサ３Ｄにも赤外センサが用いられ、乗かご内に乗客がいた場合には、乗かご内の温度に加えて、エレベータ乗かごに搭乗中の乗客の体温も計測される。また、湿度センサ３Ｅによって乗かご内の湿度が計測される。エレベーターホールにて乗場かご呼びSW１Ｄが押され乗場呼びが発生したとき、割り当てられたエレベーター乗かご内の温度センサ３Ｅと湿度センサ３ＤのデータはＡ/Ｄ変換器３Ｂ及び３Ｃによってアナログデータからデジタルデータに変換され、乗客有無判定部３Ｆのデータと共に、通信装置３Ａによってエレベーター制御部２０に送信される。
【００１８】
エレベーター制御部２０では、受信した乗客有無判定部３Ｆのデータがエレベーター乗かご内に乗客がいる場合といない場合とで異なる制御を行う。  
エレベーター乗かご内に乗客がいない場合、エレベーター制御部２０の温度解析部２Ｂは、通信装置２Ａによって受信した乗かご内の温度及び湿度と、エレベーターホールにてエレベーター待ち状態の人の体温並びにエレベーターホールの温度及び湿度とを解析し、最適温度算出部２Ｃは、エレベーター待ちの乗客にとって快適な温度と湿度を演算し、通信装置２Ｄ及び３Ｇを介して、割り当てられたエレベーター乗かごに設けられた空調制御部３Ｈに送信する。
【００１９】
空調制御部３Ｈは、エレベーター乗かご３０内を受信した温度と湿度になるように空調機３Ｉを調整する。また、エレベーター待ち状態の人がエレベーターに乗った後も、乗かご内の温度センサ３Ｄと湿度センサ３Ｅによって、乗かご内の乗客の体温と乗かご内の温度と湿度を適宜計測し、乗客にとって快適と感じる温度と湿度になるようにエレベーター乗かご内の空調を随時調整する。
【００２０】
温度解析部２Ｂでは、温度センサ（赤外センサ）の測定データに基づき、乗客の体温、エレベーターホールの温度、乗かご内の温度を解析する。最適温度算出部２Ｃでは、基本的には、エレベーターホールよりもエレベーター乗かご内の温度が快適となるように温度設定され、これに加えて、乗客の体温に基づき乗かご内の温度が調整される。例えば、人の平均体温（例えば３６．５度）よりも乗客の体温が高い場合、乗客は暑いと感じていると判断して、設定温度を例えば１〜２度下げる。そして、乗かご搭乗中の乗客の体温が落ち着いてきた場合（低下した場合）、乗客搭乗時の調整温度よりも乗かご内の温度を上げるよう温度設定する。なお、エレベーターホールの乗客の体温が低い場合には、設定温度を若干上げるようにエレベーター乗かご内の温度を事前調整する。
【００２１】
割り当てられたエレベーター乗かご内に乗客がいた場合は、エレベーター制御部２０の温度解析部２Ｂは、乗客の体温と、乗かご内の温度及び湿度と、エレベーターホールの温度及び湿度と、エレベーター待ち状態の人の体温とを解析し、最適温度算出部２Ｃは双方の乗客にとって不快でない温度と湿度を演算し、割り当てられたエレベーターの空調制御部３Ｈに送信する。空調制御部３Ｈは、エレベーター乗かご内を受信した温度と湿度になるように空調機３Ｉを調整する。
【００２２】
エレベーター乗かご内に乗客がいた場合、最適温度算出部２Ｃでは、例えば、エレベーターホールでエレベーター待ちの乗客の体温とエレベーター乗かご内に搭乗中の乗客の体温の中間の温度を基に、人の平均体温と比較して、上述したように設定温度を調整する。若しくは、体温が高い乗客の体温を基に、人の平均体温と比較して、上述したように設定温度を調整する。
【００２３】
また、エレベーター乗かご内に複数の乗客がいる場合、エレベーター乗かご内温度センサ３Ｄによって、エレベーター乗かご内の複数の乗客の体温を適宜計測し、複数の乗客にとって不快と感じない温度と湿度になるようにエレベーター乗かご内の空調を調整する。例えば、複数の乗客の平均体温に基づき、上述と同じような空調を行う。また、エレベーター乗かご内に乗客がいる場合、乗客がエレベーターに乗り込んだ後も、乗かご内温度センサ３Ｄによって乗客の体温を計測し続け、快適な温度となるように乗かご内の温度を適宜調整することは、上述したエレベーター乗かご内に乗客がいない場合の乗客搭乗後の空調と同様である。
【００２４】
次に、図２のフローチャートを参照しながら本実施例の制御を説明する。なお、図２の処理は所定の時間間隔で繰り返し実行される。  
人感センサ１Ａが反応した場合(Ｓ１)、エレベーターホールに設けられた温度センサ１Ｂと湿度センサ１Ｃのデータをエレベーター制御部２０に送信する(Ｓ２)。  
その後、乗場呼びが発生しなかった場合は、再度人感センサ１Ａが反応するまで待つ(Ｓ３)。  
乗場呼びが発生した場合、エレベーター制御部２０は、かご割当てを行い(Ｓ４)、割当てられた乗かご３０内の温度センサ３Ｄと湿度センサ３Ｅと乗客有無判定部３Ｆのデータをエレベーター制御部２０に送信する(Ｓ５)。  
乗かご３０内に乗客がいなかった場合(Ｓ６)、エレベーター制御部２０の適正温度算出部２Ｃは、エレベーター待ちの人にとっての最適温度を算出し（Ｓ７）、空調制御部３Ｈにデータを送信することにより(Ｓ８)、乗かご３０内を事前に快適な温度とする。  
乗かご３０内に乗客がいた場合(Ｓ６)、エレベーター制御部２０の適正温度算出部２Ｃは、エレベーター待ちの人と乗かごの乗客にとっての最適温度を算出し（Ｓ９）、空調制御部３Ｈにデータを送信することにより(Ｓ８)、乗かご３０内を双方にとって不快でない温度とする。  
また、乗客がエレベーターに乗り込んだ後も、乗かご内温度センサ３Ｄによって乗客の体温を計測し続け、快適な温度となるように乗かご内の温度を適宜調整する(Ｓ１０)。  
エレベーター乗かご内に乗客がいなくなった場合（Ｓ１１）、処理を終了する。
【００２５】
本実施例によれば、エレベーターホール待ち乗客および/または乗かご内の乗客の体温も考慮して空調を調整しているので、エレベーター乗かご内を乗客および/または乗かご内の乗客にとって快適に感じることができる温度に事前調整することができ、乗客の個々人がエレベーター乗かご内を快適に感じる可能性を向上させることができる。
【００２６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００２７】
例えば、上述の実施例では、エレベーターホールでエレベーター待ちの乗客が乗かごに乗り込む際の快適性をメインとしているが、乗客の温度を測定して測定温度に基づき空調を調整することは、エレベーター乗かご内の乗客の快適性も向上させる効果があり、エレベーターホールでエレベーター待ちの乗客がいない場合にも適用できる。特に、エレベーターホールが基準階の場合、エレベーター待ちの時間がないので、乗かご内を事前調整することが実質的に難しいので、エレベーター乗かごに乗客が搭乗中の空調となる。
【００２８】
また、上述の実施例では、湿度センサを設けているが、湿度センサを省略し、温度センサのみに基づき空調を制御しても良い。
【００２９】
また、上述の実施例では、空調として空調機からの吹き出し温度の調整を例として説明しているが、空調機のファン回転数の制御（風量の制御）で空調を行うようにしても良い。また、温度の調整と風量の調整を併用しても良い。風量の制御の場合、最適温度算出部は最適ファン回転数算出部に置き換えられ、最適ファン回転数となるように空調機のファンがインバータ制御される。乗客の体温が高い場合には、風量を増加させる。
【００３０】
また、エレベーター乗かご内に複数の乗客がいる場合を想定すると、空調機に風向制御機能を持たせ、赤外線温度センサの情報に基づき、体温の高い乗客に重点的に送風するようにしても良い。
【符号の説明】
【００３１】
１Ａ・・・人感センサ、１Ｂ・・・温度センサ、１Ｃ・・・湿度センサ、１Ｄ・・・乗場かご呼びSW、１Ｅ，１Ｆ・・・Ａ/Ｄ変換器、１Ｈ・・・通信装置、２Ａ，２Ｄ・・・通信装置、２Ｂ・・・温度解析部、２Ｃ・・・適正温度算出部、３Ａ，３Ｇ通信装置、３Ｂ，３Ｃ・・・Ａ/Ｄ変換器、３Ｄ・・・かご内温度センサ、３Ｅ・・・かご内湿度センサ、３Ｆ・・・乗客有無判定部、３Ｈ・・・空調制御部、３Ｉ・・・空調機、１０・・・エレベーターホール、２０・・・エレベーター制御部、３０・・・エレベーター乗かご。
【図１】
2015117080.tif 000003
【図２】
2015117080.tif 000004